(57)【要約】【課題】  仕切膜の下端部近傍における貯水部内の漏水の発生を回避して、安全性、信頼性を向上させるとともに、仕切膜の幅方向に沿って浮設された複数の浮力体を除去することによって貯水部内の水が仕切膜を超えて外部に漏洩するのを回避可能とし構造が簡単化され低コスト化を実現した膜式防潮体を提供する。また、前記膜式防潮体をシップロックに適用することにより、高低差を有する水路上を最下段の水路から最上段の水路まで船舶を容易に移動せしめることを可能とする。【解決手段】  両端部を支柱に支持された防水膜を仕切膜の最下部に地面に接して設置し、該防水膜により前記貯水部内から外部に漏洩する水の通流を遮断するように構成し、ケーブル繰出装置及びテンショナーによりケーブルの張力を調整し該ケーブルを介して仕切膜の下端部と地面との間の空気の通流を遮断し、ケーブル繰出装置によって張力ケーブルの繰り出し量を変化させて仕切膜の上端部を上下動せしめるように構成した膜式防潮体を備えるとともに、前記膜式防潮体を適用したシップロックを備える。【選択図】    図１
2005350903.tif 000002
【特許請求の範囲】
【請求項１】
地面上に対をなして立設された支柱の間に貯水部と外部とを仕切る仕切膜を架設し、前記貯水部の深さ方向に複数設けられて前記仕切膜を支持するワイヤの両端を前記支柱に取付けてなる膜式防潮体において、両端部を前記支柱に支持された防水膜を前記仕切膜の最下部に地面に接して連結し、該防水膜により前記貯水内部から外部に漏れる水の通流を遮断するように構成したことを特徴とする膜式防潮体。
【請求項２】
前記防水膜は、前記仕切膜と同等あるいは該仕切膜よりも軟質の材料で構成されてなることを特徴とする請求項１記載の膜式防潮体。
【請求項３】
地面上に対をなして立設された支柱の間に貯水部と外部とを仕切る仕切膜を架設し、前記貯水部の深さ方向に複数設けられて前記仕切膜を支持するワイヤの両端を前記支柱に取付けてなる膜式防潮体において、前記仕切膜の下端部に地面に接して取付けられたケーブルと、該ケーブルの両端が連結されて該ケーブルを巻き取り繰り出し自在に支持するケーブル繰出装置と、前記ケーブルに張力を付与するテンショナーとを備え、前記ケーブル繰出装置及びテンショナーにより前記ケーブルの張力を調整し該ケーブルを介して前記仕切膜の下端部と地面との間の水の通流を遮断するように構成したことを特徴とする膜式防潮体。
【請求項４】
前記貯水部に浮設された複数の浮力体を前記仕切膜に該仕切膜の幅方向に沿って取付け、該浮力体の浮力により前記仕切膜の上端縁部を水面上に位置せしめてなることを特徴とする請求項１ないし３の何れかの項に記載の膜式防潮体。
【請求項５】
地面上に対をなして立設された支柱の間に貯水部と外部とを仕切る仕切膜を架設し、前記貯水部の深さ方向に複数設けられて前記仕切膜を支持するワイヤの両端を前記支柱に取付けてなる膜式防潮体において、前記仕切膜の上端部に取付けられた上端ワイヤの前記仕切膜の幅方向中間位置に張力ケーブルを連結するとともに、該張力ケーブルの両端部に該張力ケーブルを巻き取り繰り出し自在に支持するケーブル繰出装置を連結し、該ケーブル繰出装置によって前記張力ケーブルの繰り出し量を変化させて前記仕切膜の上端部を上下動せしめるように構成されてなることを特徴とする膜式防潮体。
【請求項６】
前記張力ケーブルを、前記上端ワイヤに直接接続してなることを特徴とする請求項５記載の膜式防潮体。
【請求項７】
前記張力ケーブルの中間部に吊上げケーブルを連結し、該吊上げケーブルの下端部を前記上端ワイヤに接続してなることを特徴とする請求項５記載の膜式防潮体。
【請求項８】
高低差を有する水路を連続した複数段の段付き水路に形成し、該段付き水路毎に隣り合う段付き水路を連通あるいは遮断可能な仕切り部材を設け、該仕切り部材により隣り合う段付き水路を連通あるいは遮断することにより、隣り合う段付き水路の水位を同一にしながら下側の段付き水路から上側の段付き水路へと順次船舶を上昇させるようにしたシップロックにおいて、前記仕切り部材に、請求項１ないし７の何れかの項に記載の膜式防潮体を用いたことを特徴とするシップロック。
【発明の詳細な説明】
【技術分野】
【０００１】
本発明は、高潮や津波に対する防潮堤、防潮ダム等における水の締切り用に適用される膜式防潮体及びこれを用いたシップロックに関する。
【背景技術】
【０００２】
高潮や津波による海面上昇から沿岸地域を保護するための防潮堤として、例えば特許文献１（特開２００３−１３４３１号公報）に開示されているような防潮堤、防波堤が用いられている。
特許文献１の技術においては、海側と川側との境界位置で、川の両側の防波堤に設けた杭基礎に端部を係止されて、該防波堤で入口を規制された水路を開閉する遮蔽体を設け、該遮蔽体を、深さ方向で水面上に一部を突出して全水深に亘って延びるとともに幅方向で前記両側の杭基礎間に亘って延びるように形成することにより、簡便な構造により製作、取り扱いを容易とし、設置面積、基礎工事等を小規模化し、周辺環境の破壊の恐れも回避可能に構成している。
また、特許文献２（特開２００３−１５５７３２号公報）にも、前記と同様な防潮堤、防波堤が開示されている。
【０００３】
図８は、前記特許文献１及び特許文献２に開示されているような防潮堤における膜構造体の下端シール部の構造を示し、（Ａ）は膜構造体の概略側面図、（Ｂ）は（Ａ）における部詳細図である。
図において、３０は水が充満された貯水部５０と外部５１とを仕切る膜構造体で、地面上に対をなして立設された支柱（図示省略）の間に架設された可撓材からなる仕切膜３、貯水部５０の深さ方向に複数設けられて前記仕切膜３を支持するワイヤ２、前記仕切膜３の上縁部に固定されるとともに前記貯水部５０に仕切膜３の幅方向に沿って浮設された複数の浮力体４等によって構成されている。
【０００４】
【特許文献１】特開２００３−１３４３１号公報
【特許文献２】特開２００３−１５５７３２号公報
【発明の開示】
【発明が解決しようとする課題】
【０００５】
然るに、前記従来の膜構造体には、次のような解決すべき課題がある。
即ち、かかる従来技術にあっては、津波や都市部における地下浸水時等のような、図８における貯水部５０に水の無い状態から該貯水部５０に水が入りその水位が上がって行く場合には、図８（Ｂ）に示されるように、外部５１（図８（Ａ）参照）からの空気が、仕切膜３の下端部と地面６との間に形成される隙間３ａに侵入し、下部のワイヤ２ｂ及び仕切膜３の下端部を押し上げるため、該仕切膜３の下端部及び下部のワイヤ２ｂが捲れ上がってこの部分から貯水部５０内の水が漏洩する、という事態が発生し易い。
また、かかる従来技術にあっては、仕切膜３の上縁部を、該仕切膜３の幅方向に沿って水面上に浮設された複数の浮力体４に固定する構造であるため、該貯水部５０の水面に波が立つ場合には、貯水部５０内の水が仕切膜３を超えて外部５１に漏洩し易くなる。  
【０００６】
本発明はかかる従来技術の課題に鑑み、貯水部に水が充満している状態及び該貯水部水の無い状態から増水するような場合の何れにおいても、仕切膜の下端部近傍における空気の侵入及びこれに伴う該貯水部内の漏水の発生を回避して、安全性、信頼性を向上させた膜式防潮体を提供することを第１の目的とする。
また、本発明の第２の目的は、仕切膜の幅方向に沿って浮設された複数の浮力体を除去して前記貯水部内の水が仕切膜を超えて外部に漏洩するのを回避するとともに、構造を簡単化し低コスト化を実現した膜式防潮体を提供することにある。
【課題を解決するための手段】
【０００７】
本発明はかかる目的を達成するもので、地面上に対をなして立設された支柱の間に貯水部と外部とを仕切る仕切膜を架設し、前記貯水部の深さ方向に複数設けられて前記仕切膜を支持するワイヤの両端を前記支柱に取付けてなる膜式防潮体において、両端部を前記支柱に支持された防水膜を前記仕切膜の最下部に地面に接して連結し、該防水膜により前記貯水部内から外部に漏洩する水の通流を遮断するように構成したことを特徴とする。
ここで、前記防水膜は、前記仕切膜と同等あるいは該仕切膜よりも軟質の材料で構成されるのが好ましい。
またかかる発明において、前記貯水部に浮設された複数の浮力体を前記仕切膜に該仕切膜の幅方向に沿って取付け、該浮力体の浮力により前記仕切膜の上端縁部を水面上に位置せしめるように構成する。
【０００８】
かかる発明によれば、好ましくは仕切膜と同等あるいは該仕切膜よりも軟質の材料で構成された防水膜を該仕切膜の最下部に地面に接して設置したので、津波や都市部における地下浸水時等のような、貯水部に水の無い状態から該貯水部に水が入りその水位が上がって行くような場合においては、外部からの空気が仕切膜の下端部と地面との間に形成される隙間に流入するような事態となっても、前記防水膜によって該空気の貯水部内への侵入が遮断される。
これにより、貯水部に水の無い状態から水位が上がって行く過程において、外部からの空気の侵入によって該仕切膜の下端部及び下部のワイヤが捲れ上がり、この部分から貯水部内の水が漏洩するのを回避できることとなり、膜式防潮体の安全性が向上する。
【０００９】
また本発明は、前記膜式防潮体において、前記仕切膜の下端部に地面に接して取付けられたケーブルと、該ケーブルの両端部が連結されて該ケーブルを巻き取り繰り出し自在に支持するケーブル繰出装置と、前記ケーブルに張力を付与するテンショナーとを備え、前記ケーブル繰出装置及びテンショナーにより前記ケーブルの張力を調整し該ケーブルを介して前記仕切膜の下端部と地面との間の空気の通流を遮断するように構成したことを特徴とする。
かかる発明において、前記貯水部に浮設された複数の浮力体を前記仕切膜に該仕切膜の幅方向に沿って取付け、該浮力体の浮力により前記仕切膜の上端縁部を水面上に位置せしめるように構成する。
【００１０】
かかる発明によれば、津波や都市部における地下浸水時等のような、貯水部に水の無い状態から該貯水部に水が入りその水位が上がって行くような場合において、外部からの空気が仕切膜の下端部と地面との間に形成される隙間に流入する事態となっても、テンショナーによりケーブルに張力を付与し該ケーブルを直状にして、該ケーブル及びこれに固定された仕切膜の下端部と地面とを接触させて隙間を無くすことにより、貯水内部から前記仕切膜の下端部と地面との間を通って外部に漏洩するのを防止できる。
そして、前記貯水部に水が入りその水位が上がって行くと、水位の上昇に伴う水圧の上昇により前記ケーブルの張力が増大して、該ケーブル及び仕切膜の下端部と地面との接触力が増大して該部のシール機能が増大し、貯水部内の水の漏洩を確実に保持できる。また、ケーブル繰出装置によってケーブルを巻き取り繰り出しすることにより、前記ケーブルの張力を適正量に調整できる。
【００１１】
また本発明は、地面上に対をなして立設された支柱の間に貯水部と外部とを仕切る仕切膜を架設し、前記貯水部の深さ方向に複数設けられて前記仕切膜を支持するワイヤの両端を前記支柱に取付けてなる膜式防潮体において、前記仕切膜の上端部に取付けられた上端ワイヤの前記仕切膜の幅方向中間位置に張力ケーブルを連結するとともに、該張力ケーブルの両端部に該張力ケーブルを巻き取り繰り出し自在に支持するケーブル繰出装置を連結し、該ケーブル繰出装置によって前記張力ケーブルの繰り出し量を変化させて前記仕切膜の上端部を上下動せしめるように構成されてなることを特徴とする。
かかる発明において、好ましくは、次の２つの手段による。
第１の手段は、前記張力ケーブルを、前記上端ワイヤに直接接続する。
第２の手段は、前記張力ケーブルの中間部に吊上げケーブルを連結し、該吊上げケーブルの下端部を前記上端ワイヤに接続する。
【００１２】
かかる発明によれば、仕切膜の上端部に取付けられた上端ワイヤの仕切膜の幅方向中間位置に直接に、あるいは吊上げケーブルを介して連結された張力ケーブルを、ケーブル繰出装置によって巻き取りあるいは繰り出すことにより、該張力ケーブルを介して仕切膜の上端部及び上端ワイヤの鉛直方向位置を変化させることができる。
これにより、貯水部の水位によって、張力ケーブルの繰り出し量を変化させ仕切膜の上端部及び上端ワイヤの鉛直方向位置を自在に調整できて、貯水部内の水が仕切膜を超えて外部に漏洩するのを確実に回避できる。
また、浮力体を除去できるので、構造が簡単化となり低コストの装置が得られる。
【００１３】
また本発明は、高低差を有する水路を連続した複数段の段付き水路に形成し、該段付き水路毎に隣り合う段付き水路を連通あるいは遮断可能な仕切り部材を設け、該仕切り部材により隣り合う段付き水路を連通あるいは遮断することにより、隣り合う段付き水路の水位を同一にしながら下側の段付き水路から上側の段付き水路へと順次船舶を上昇させるようにしたシップロックにおいて、前記仕切り部材に、前記のように構成された膜式防潮体を用いたことを特徴とする。
【００１４】
かかる発明によれば、膜式防潮体を段付き水路の下段側から順次開閉して行って、隣り合う段付き水路の水位を同一にしながら下側の段付き水路から上側の段付き水路へと船舶を上昇させることにより、高低差を有する水路上を最下段の水路から最上段の水路まで船舶を移動させることができる。
【発明の効果】
【００１５】
本発明によれば、防水膜を仕切膜の最下部に地面に接して設置したので、貯水部に水の無い状態から水位が上がって行くような場合において、外部からの空気が仕切膜の下端部と地面との間に流入する事態となっても、前記防水膜によって該空気の貯水部内への侵入を遮断できる。
これにより、外部からの空気の侵入によって該仕切膜の下端部及び下部のワイヤが捲れ上がり、この部分から貯水部内の水が漏洩するのを回避でき、膜式防潮体の安全性が向上する。
【００１６】
また、本発明によれば、前記のような、貯水部に水の無い状態から水位が上がって行くような場合において、外部からの空気が仕切膜の下端部と地面との間の隙間に流入する事態となっても、テンショナーによるケーブルの張力調整により、該ケーブル及び仕切膜の下端部と地面とを接触させて隙間を無くすことにより、外部からの空気が前記仕切膜の下端部と地面との間を通って貯水部内に侵入するのを防止できる。また前記貯水部の水位の上昇に伴う水圧の上昇によりケーブルの張力が増大するのに伴い、該ケーブル及び仕切膜の下端部と地面との接触力が増大して該部のシール機能が増大し、貯水部内の水の漏洩を確実に保持できる。
【００１７】
また、本発明によれば、仕切膜の上端部に取付けられた上端ワイヤの仕切膜の幅方向中間位置に連結された張力ケーブルをケーブル繰出装置によって巻き取りあるいは繰り出すことにより、仕切膜の上端部及び上端ワイヤの鉛直方向位置を変化させることが可能となり、貯水部の水位によって仕切膜の上端部及び上端ワイヤの鉛直方向位置を自在に調整できて、貯水部内の水が仕切膜を超えて外部に漏洩するのを確実に回避できる。
また、浮力体を除去できるので、構造が簡単化となり低コストの装置が得られる。
【００１８】
また、本発明に係るシップロックによれば、膜式防潮体を段付き水路の下段側から順次開閉して行って、隣り合う段付き水路の水位を同一にしながら下側の段付き水路から上側の段付き水路へと船舶を上昇させることにより、高低差を有する水路上を最下段の水路から最上段の水路まで船舶を容易に移動させることができる。
【発明を実施するための最良の形態】
【００１９】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００２０】
図１は本発明の第１実施例に係る膜式防潮体の要部構成を示す概略斜視図、図２は第２実施例を示す図１対応図である。図３は第３実施例を示す図１対応図、図４は第３実施例における正面図（図３におけるＺ矢視図）である。図５は第４実施例における正面図である。図６は本発明に係る膜式防潮体を装備した防潮堤の全体構成を示し、（Ａ）は正面図、（Ｂ）は平面図（（Ａ）におけるＡ矢視図）、（Ｃ）は（Ａ）におけるＢ−Ｂ線断面図である。
図７は本発明の第５実施例に係るシップロックの概略側面図である。
【００２１】
本発明に係る膜式防潮体を装備した防潮堤の全体構成を示す図６において、３０は水が充満された貯水部５０と外部５１とを仕切る膜構造体である。該膜構造体３０は、地面６上に対をなして立設された支柱１の間に架設された可撓材からなる仕切膜３、貯水部５０の深さ方向に複数設けられて前記仕切膜３を支持するワイヤ２、前記仕切膜３の上縁部に固定されるとともに前記貯水部５０に仕切膜３の幅方向に沿って浮設された複数の浮力体４等によって構成され、前記貯水部５０と外部５１とを仕切膜３で遮蔽して該貯水部５０から外部５１への漏水を阻止している。５は前記膜構造体３０と支柱１との連結部である。
また、前記浮力体４は、これの浮力により前記仕切膜３の上端縁部を貯水部５０の水面上に常時位置せしめており、貯水部５０内の水が該上端縁部を超えて外部５１に漏洩しないようにしている。
【実施例１】
【００２２】
図１に示される本発明に係る膜構造体３０の第１実施例において、１０は薄板状の防水膜で、両端部を前記支柱１（図６参照）に支持されるとともに、前記仕切膜３の最下部に固定されたワイヤ２に取付けられて地面６に接して設置されている。該防水膜１０は、好ましくは前記仕切膜３よりも軟質の材料で形成されて、地面６の形状に応じて確実に地面６に接着できるようにしている。１１は該防水膜１０の内側縁部が固定されるワイヤで、該ワイヤ１１の両端部は前記支柱１（図６参照）に固定、支持されている。
【００２３】
かかる第１実施例によれば、好ましくは前記仕切膜３と同等あるいは該仕切膜３よりも軟質の材料で構成された防水膜１０を、該仕切膜３の最下部に固定されたワイヤ２に取付けて地面６に接して設置したので、津波や都市部における地下浸水時等のような、貯水部５０に水の無い状態から該貯水部５０に水が入って、その水位が上がって行くような場合においては、外部５１からの空気が仕切膜３の下端部と地面６との間に形成される隙間に流入するような事態となっても、軟質材料からなる前記防水膜１０が地面６に密着しているので、前記隙間を経た水が外部５１へ漏洩するのを遮断できる。
これにより、前記貯水部５０に水の無い状態から水位が上がって行く過程において、外部５１からの空気の侵入によって該仕切膜３の下端部及び下部のワイヤ２が捲れ上がるのを回避でき、前記仕切膜３の下端部及び下部のワイヤ２設置部から貯水部５０内の水が漏洩するのを防止できる。
【実施例２】
【００２４】
図２に示される膜構造体３０の第２実施例において、１３は前記仕切膜３の下端部に地面６に接して取付けられたケーブル、１５は対を成して設けられ該ケーブル１３を巻き取り繰り出し自在に支持するケーブル繰出装置、１４は前記ケーブル１３を案内して該ケーブル１３に張力を付与するプリテンショナーである。そしてかかる第２実施例においては、前記ケーブル１３の両端部が前記ケーブル繰出装置１５に連結されて、該ケーブル繰出装置１５により、前記プリテンショナー１４を介してケーブル１３を巻き取りあるいは繰り出すことにより、該ケーブル１３の張力を調整するようになっている。
【００２５】
かかる第２実施例によれば、津波や都市部における地下浸水時等のような、貯水部５０に水の無い状態から該貯水部５０に水が入ってその水位が上がって行くような場合において、貯水部５０に水が入っていない状態では、ケーブル繰出装置１５によりプリテンショナー１４を介してケーブル１３を巻き取って該ケーブル１３を図２の１３ａのように直状にして地面６に接触させる。
これにより、該ケーブル１３に取付けられている前記仕切膜３の下端部と地面６とが隙間を形成することなく接触し、貯水内部からの水が仕切膜３の下端部と地面６との間を通って外部５１内に漏洩するのを阻止できる。
【００２６】
そして、前記貯水部５０に水が入りその水位が上がって行くと、水位の上昇に伴う水圧の上昇により前記ケーブル１３の張力が増大して、図２のように該ケーブル１３が湾曲し、該ケーブル１３及び仕切膜３の下端部と地面６との接触力が増大して該部のシール機能が増大する。これにより、仕切膜３の下端部と地面６との間における貯水部５０内の水の漏洩を確実に保持できる。
また、前記ケーブル繰出装置１５によって、前記プリテンショナー１４を介してケーブル１３の繰出し量を変化させることにより、前記ケーブル１３の張力を適正量に調整できる。
【実施例３】
【００２７】
図３〜図４示される膜構造体３０の第３実施例において、１８は張力ケーブルで、該張力ケーブル１８の中間部の複数箇所（この例では２箇所）に鉛直な吊上げケーブル１６を連結し、該吊上げケーブル１６の下端部を、前記仕切膜３の上端部に取付けられた上端ワイヤ２ａに連結している（１７は吊上げケーブル１６と上端ワイヤ２ａとの連結部）。２１はケーブル張力調整装置（ケーブル繰出し装置）で、前記張力ケーブル１８の両端部が該ケーブル張力調整装置２１に、ポール２２に回転自在に支持された滑車２０を介して巻き取り繰り出し自在に連結されている。
【００２８】
かかる第３実施例によれば、前記ケーブル張力調整装置２１により滑車２０を介して前記張力ケーブル１８の繰り出し量を変化させ、例えば張力ケーブル１８を巻き取り該張力ケーブル１８の繰り出し量を小さくすると、吊上げケーブル１６が図３、４の矢印のように上方に移動し、これに従い連結部１７を介して上端ワイヤ２ａおよび仕切膜３の上端部が上方に移動する。
即ちかかる第３実施例によれば、仕切膜３の上端部に取付けられた上端ワイヤ２ａに吊上げケーブル１６を介して連結された張力ケーブル１８を、ケーブル張力調整装置２１によって巻き取りあるいは繰り出すことにより、該張力ケーブル１８を介して仕切膜３の上端部及び上端ワイヤ２ａの鉛直方向位置を変化させることができる。
【００２９】
これにより、貯水部５０の水位の上下によって、張力ケーブル１８の繰り出し量を変化させ仕切膜３の上端部及び上端ワイヤ２ａの鉛直方向位置を自在に調整できることとなり、貯水部５０内の水が仕切膜３を超えて外部５１に漏洩するのを確実に回避できる。
また、かかる第３実施例によれば、従来技術あるいは前記第１〜第２実施例のような浮力体４を除去できるので、構造が簡単となり低コストの装置が得られる。
【実施例４】
【００３０】
図５に示される膜構造体３０の第４実施例においては、張力ケーブル１８と仕切膜３の上端部に取付けられた上端ワイヤ２ａとを、前記第３実施例のように吊上げケーブル１６を介さずに、複数箇所（この例では２箇所）の連結部１７において直接に連結している。この場合は吊上げケーブル１６が不要となるので、構造が簡単になる。
その他の構成は前記第３実施例と同様であり、これと同一の部材は同一の符号で示す。
【実施例５】
【００３１】
図７に示される本発明の第５実施例は、前記第１〜第４実施例における膜構造体３０を備えたシップロックに係るものである。図７において、３１は高低差を有する水路を連続した複数段の段付き水路で、該段付き水路３１毎に隣り合う段付き水路を連通あるいは遮断可能な仕切り部材として、前記１〜第４実施例における膜構造体３０を設置している。
かかるシップロックは、膜構造体３０によって隣り合う段付き水路３１を連通あるいは遮断する、つまり該膜構造体３０を３０ａ→３０ｂ→３０ｃ…のように順次開閉して行くことにより、隣り合う段付き水路３１の水位を同一にしながら下側の段付き水路３１から上側の段付き水路３１へと順次船舶３２を上昇させるようになっている。
従って、かかる第５実施例によれば、膜構造体３０を段付き水路３１の下段側から順次開閉して行って、隣り合う段付き水路３１の水位を同一にしながら下側の段付き水路３１から上側の段付き水路へと船舶３２を上昇させることにより、高低差を有する水路上を最下段の水路から最上段の水路まで船舶３２を容易に移動させることができる。
【産業上の利用可能性】
【００３２】
本発明によれば、貯水部に水が充満している状態及び該貯水部水の無い状態から増水するような場合の何れにおいても、仕切膜の下端部近傍における該貯水部内の漏水の発生を回避出来て、安全性、信頼性を向上させた膜式防潮体が得られるとともに、前記仕切膜の幅方向に沿って浮設された複数の浮力体を除去することによって貯水部内の水が仕切膜を超えて外部に漏洩するのを回避可能となるとともに、構造が簡単化され低コスト化を実現した膜式防潮体を得ることができる。
さらには、前記膜式防潮体をシップロックに適用することにより、高低差を有する水路上を最下段の水路から最上段の水路まで船舶を容易に移動させることが可能となる。
【図面の簡単な説明】
【００３３】
【図１】本発明の第１実施例に係る膜式防潮体の要部構成を示す概略斜視図である。
【図２】第２実施例を示す図１対応図である。
【図３】第３実施例を示す図１対応図である。
【図４】第３実施例における正面図（図３におけるＺ矢視図）である。
【図５】第４実施例における正面図である。
【図６】本発明に係る膜式防潮体を装備した防潮堤の全体構成を示し、（Ａ）は正面図、（Ｂ）は平面図（（Ａ）におけるＡ矢視図）、（Ｃ）は（Ａ）におけるＢ−Ｂ線断面図である。
【図７】本発明の第５実施例に係るシップロックの概略側面図である。
【図８】従来技術を示し、（Ａ）は膜構造体の概略側面図、（Ｂ）は（Ａ）における部詳細図である。
【符号の説明】
【００３４】
１    支柱
２    ワイヤ
２ａ    上端ワイヤ
３    仕切膜
４    ワイヤ
６    地面
１０    防水膜
１１    ワイヤ（防水膜用）
１３    ケーブル
１４    プリテンショナー
１５    ケーブル繰出装置
１６    吊上げケーブル
１７    連結部
１８    張力ケーブル
２０    滑車
２１    ケーブル張力調整装置（ケーブル繰出し装置）
３０    膜構造体
３１    段付き水路
３２    船舶
５０    貯水部
５１    外部
【図１】
2005350903.tif 000003
【図２】
2005350903.tif 000004
【図３】
2005350903.tif 000005
【図４】
2005350903.tif 000006
【図５】
2005350903.tif 000007
【図６】
2005350903.tif 000008
【図７】
2005350903.tif 000009
【図８】
2005350903.tif 000010